(57)【要約】【課題】誘導加熱を利用した炊飯器において、冷却用ファンを用いなくても電子部品を冷却すること。【解決手段】操作部１１を形成する基板の平面がヒートシンク１２上方に配置され、加熱コイル６と高周波回路１０と操作部１１と制御回路９とヒートシンク１２は炊飯器本体１内に配置された炊飯器であって、ヒートシンク１２に対向する炊飯器本体１の底部に形成されヒートシンク１２の方向に空気を流入可能な第１の通気口１３ａと、ヒートシンク１２の方向に流入した空気を炊飯器本体１の外部へ放出可能なように炊飯器本体１の底部に形成された第２の通気口１３ｂとを備え、第１の通気口１３ａから流入した空気は、ヒートシンク１２を通り、操作部１１で進行方向を第２の通気口１３ｂの方向に変更し、第２の通気口１３ｂから炊飯器本体１の外部へ放出される炊飯器。【選択図】図１
2013230169.tif 000002
【特許請求の範囲】
【請求項１】
炊飯器本体と、
前記炊飯器本体を支える複数の脚部と、
前記炊飯器本体から出し入れ可能で調理物を入れる鍋と、
前記鍋を誘導加熱する加熱コイルと、
前記加熱コイルに高周波電流を供給する高周波回路と、
使用者が操作可能な操作部と、
前記操作部からの信号により高周波回路の動作を制御する制御回路と、
前記高周波回路の電子部品を冷却すると共に前記炊飯器本体の下部に配置されるヒートシンクとを備え、
前記操作部を形成する基板の平面が前記ヒートシンク上方に配置され、前記加熱コイルと前記高周波回路と前記操作部と前記制御回路と前記ヒートシンクは前記炊飯器本体内に配置された炊飯器であって、
前記ヒートシンクに対向する前記炊飯器本体の底部に形成され前記ヒートシンクの方向に空気を流入可能な第１の通気口と、
前記ヒートシンクの方向に流入した空気を前記炊飯器本体の外部へ放出可能なように前記炊飯器本体の底部に形成された第２の通気口とを備え、
前記第１の通気口から流入した空気は、前記ヒートシンクを通り、前記操作部で進行方向を前記第２の通気口の方向に変更し、前記第２の通気口から前記炊飯器本体の外部へ放出される炊飯器。
【請求項２】
第１の通気口と第２の通気口の間における前記炊飯器本体の底部から、前記ヒートシンクの方向に延びる仕切板をさらに形成した請求項１に記載の炊飯器。
【請求項３】
脚部の近傍に前記第１の通気口及び第２の通気口のうち少なくとも一方を配置した請求項１または請求項２に記載の炊飯器。
【発明の詳細な説明】
【技術分野】
【０００１】
本発明は、誘導加熱を利用した炊飯器に関するものである。
【背景技術】
【０００２】
一般に、誘導加熱を利用した炊飯器の場合、制御に使用される電子部品（例えば、パワートランジスタ）が発熱するために効果的に冷却することが求められている。このため、例えば、図４に示す特許文献１の炊飯器では、炊飯器本体内に冷却用ファン４１を設置して外気を吸い込み、高周波回路基板４０の間を流れて、電子部品を取り付けた冷却フィンや電子部品を冷却し、温まった冷却風が本体から放出されるような構成になっている。
【０００３】
また、冷却ファンがなくても電子部品が冷却されるように構成されている炊飯器も存在している（例えば、特許文献２参照）。図５は特許文献２に記載された従来の炊飯器の断面図であり、通気口３０、通気口３１、通気口３２、放熱ユニット３３、冷却用フィン３４、高周波回路３５、加熱コイル３６を備えて、上部の通気口３１と下部の通気口３２の間に高周波回路３５を備えている。
【先行技術文献】
【特許文献】
【０００４】
【特許文献１】特許第２６６６３５５号公報
【特許文献２】特開平６−３２７５５３号公報
【発明の概要】
【発明が解決しようとする課題】
【０００５】
しかしながら、前記従来の特許文献１の構成では、冷却用ファンを用いて電子部品の冷却を行うために、冷却用ファンの回転音が耳障りとなるばかりでなく、部品点数が増大すると共に消費電力も大きくなるという課題を有していた。
【０００６】
また、特許文献２の構成では、排気口が上方に位置するため、上方から流下する水やオネバが侵入しやすく、基板上に水分が滴下される可能性があった。
【０００７】
本発明は、前記従来の課題を解決するもので、部品点数を増やすことなく電子部品を冷却するとともに、上方から流下する水やオネバが本体内に侵入するのを防止する炊飯器を提供することを目的とする。
【課題を解決するための手段】
【０００８】
前記従来の課題を解決するために、本発明の炊飯器は、炊飯器本体と、前記炊飯器本体を支える複数の脚部と、前記炊飯器本体から出し入れ可能で調理物を入れる鍋と、前記鍋を誘導加熱する加熱コイルと、前記加熱コイルに高周波電流を供給する高周波回路と、使用者が操作可能な操作部と、前記操作部からの信号により前記高周波回路の動作を制御する制御回路と、前記高周波回路の電子部品を冷却すると共に前記炊飯器本体の下部に配置されるヒートシンクとを備え、前記操作部を形成する基板の平面が前記ヒートシンク上方に配置され、前記加熱コイルと前記高周波回路と前記操作部と前記制御回路と前記ヒートシンクは前記炊飯器本体内に配置された炊飯器であって、前記ヒートシンクに対向する前記炊飯器本体の底部に形成され前記ヒートシンクの方向に空気を流入可能な第１の通気口と、前記ヒートシンクの方向に流入した空気を前記炊飯器本体の外部へ放出可能なように前記炊飯器本体の底部に形成された第２の通気口とを備え、前記第１の通気口から流入した空気は、前記ヒートシンクを通り、前記操作部で進行方向を前記第２の通気口の方向に
変更し、前記第２の通気口から前記炊飯器本体の外部へ放出される構成としている。
【０００９】
上記した構成により、第１の通気口から流入した空気は電子部品の発熱によって発生した上昇気流によって上昇し、操作部近傍に到達する。このとき、上昇した空気は操作部で冷却されるとともに、第２の通気口の方向へ進行方向を変更する。このため、第２の通気口より温まった空気が放出され、冷却用ファンを用いなくても電子部品の冷却を行うことができる。
【００１０】
また、通気口は全て本体下部に配置されているため、上方から流下する水やオネバが本体に侵入するのを防止することができる。
【発明の効果】
【００１１】
本発明の炊飯器は、高周波回路の半導体発熱部品をヒートシンクにて冷却し、かつヒートシンク下部に設けた第１の通気口より空気を流入させ、第２の通気口より空気が流出するような自然対流を誘起させることにより、冷却用ファンがなくとも排熱できる構成となっている。このため、部品点数の低減およびコストダウンを図ることができる。しかも炊飯中に冷却用ファンを運転させないため、静音化を図ることができる。また、通気口は全て本体下部に配置されているため、上方から流下する水やオネバが本体に侵入するのを防止することができる。
【図面の簡単な説明】
【００１２】
【図１】本発明の実施の形態１における炊飯器の要部断面図
【図２】本発明の実施の形態１における炊飯器の制御ブロック図
【図３】本発明の実施の形態２における炊飯器の要部断面図
【図４】特許文献１に記載された従来の炊飯器の断面図
【図５】特許文献２に記載された従来の炊飯器の断面図
【発明を実施するための形態】
【００１３】
第１の発明の炊飯器は、炊飯器本体と、前記炊飯器本体を支える複数の脚部と、前記炊飯器本体から出し入れ可能で調理物を入れる鍋と、前記鍋を誘導加熱する加熱コイルと、前記加熱コイルに高周波電流を供給する高周波回路と、使用者が操作可能な操作部と、前記操作部からの信号により前記高周波回路の動作を制御する制御回路と、前記高周波回路の電子部品を冷却すると共に前記炊飯器本体の下部に配置されるヒートシンクとを備え、前記操作部を形成する基板の平面が前記ヒートシンク上方に配置され、前記加熱コイルと前記高周波回路と前記操作部と前記制御回路と前記ヒートシンクは前記炊飯器本体内に配置された炊飯器であって、前記ヒートシンクに対向する前記炊飯器本体の底部に形成され前記ヒートシンクの方向に空気を流入可能な第１の通気口と、前記ヒートシンクの方向に流入した空気を前記炊飯器本体の外部へ放出可能なように前記炊飯器本体の底部に形成された第２の通気口とを備え、前記第１の通気口から流入した空気は、前記ヒートシンクを通り、前記操作部で進行方向を前記第２の通気口の方向に変更し、前記第２の通気口から前記炊飯器本体の外部へ放出される構成としている。
【００１４】
これによって、電子部品の発熱によって発生した上昇気流によって第１の通気口から空気が流入し、流入した空気はヒートシンク上方に位置する操作部によって第２の通気口の方向へ進路を変更する。このため、第２の通気口より温まった空気が放出され、冷却用ファンを用いなくても電子部品の冷却を行うことができる。
【００１５】
第２の発明の炊飯器は、特に、第１の発明において、第１の通気口と第２の通気口の間における前記炊飯器本体の底部から、前記ヒートシンクの方向に延びる仕切板をさらに形成した構成にしている。
【００１６】
これによって、第１の通気口と第２の通気口の間に仕切板を設けることにより、空気流入口と空気流出口の役割がより明確になり、その結果、炊飯器本体に流入した空気の炊飯器本体外への放出をより確実にすることができる。
【００１７】
第３の発明の炊飯器は、特に、第１または第２の発明において、脚部の近傍に前記第１の通気口及び第２の通気口のうち少なくとも一方を配置した構成にしている。
【００１８】
これによって、第１の通気口を炊飯器本体の脚部近傍に配置させれば、より冷たい空気を炊飯器本体に流入させることができ、また第２の通気口を炊飯器本体の脚部近傍に配置させれば放出した空気が炊飯器本体に再流入する可能性を減らすことができる。また、一般に脚部は炊飯器本体の外周部近傍に配置されることが多いため、脚部の近傍に配置すれば自ずと炊飯器本体の外周部近傍に配置されることとなる。
【００１９】
以下、本発明の実施の形態について、図面を参照しながら説明する。なお、この実施の形態によって本発明が限定されるものではない。
【００２０】
（実施の形態１）
図１は本発明の第１の実施の形態における炊飯器の要部断面図、図２は本発明の第１の実施の形態における炊飯器の制御ブロック図である。
【００２１】
図１において、炊飯器本体１は、複数の脚部２により支えられている。内部に調理物を入れる鍋３と、鍋３を収納する収納部４を設け、炊飯器本体１の上部は上蓋５で開閉自在に覆う構成で、鍋３は上蓋５を開閉することで取り出しできる。
【００２２】
鍋３を誘導加熱する加熱コイル６は鍋３の底部に配置している。加熱コイル６の下側には漏れ磁束を吸収するフェライトコア７が放射状に複数設けられている。
【００２３】
また、図２に示すように、鍋３の温度を検知する温度検知部８は鍋３の底中心部に接触するように設けられている。この温度検知部８の信号は制御回路９に入力される。制御回路９は加熱コイル６に高周波電流を供給する高周波回路１０の発振動作を制御するとともに、炊飯器本体１の上部に設けた操作部１１の制御も行う。
【００２４】
高周波回路１０の半導体スイッチング素子を取り付けたヒートシンク１２は炊飯器本体１の下方に位置し、ヒートシンク１２と対向する炊飯器本体１の底部１ａに第１の通気口１３ａが、この第１の通気口１３ａよりも炊飯器本体１の側面近傍の底部１ａに第２の通気口１３ｂが設けられている。
【００２５】
以上のように構成された炊飯器について、以下その動作を説明する。まず、米と水の入れられた鍋３が収納部４に挿入された状態で操作部１１より炊飯モードが選択されると、制御回路９は高周波回路１０を動作させ、高周波回路１０は加熱コイル６に高周波電流を供給し、鍋３の底に渦電流が生じ、鍋３自身が自己発熱し炊飯が開始される。
【００２６】
このとき、高周波回路の一部である半導体スイッチング素子は自己発熱するためヒートシンク１２に取り付けられ、ヒートシンク１２から放熱された熱は高周波回路１０の周辺の空気を温める。温められた空気は上昇して操作部１１に到達した後、進行方向を第２の通気口１３ｂの方向へ変更し、第２の通気口１３ｂより炊飯器本体１の外部へ放出される。
【００２７】
このとき、第２の通気口１３ｂは炊飯器本体１の側面近傍の底部に位置するため、放出
された温められた空気が第１の通気口１３ａより再び炊飯器本体１に流入することを防ぐことができる。
【００２８】
以上のように、温められた空気が上昇すると第１の通気口１３ａから外気が炊飯器本体１内に流入し、その結果、空気の自然対流が生じるため、冷却用ファンを用いて強制冷却しなくても、自然対流のみで高周波回路１０内の発熱部品を冷却することが可能となる。
【００２９】
なお、以上の説明では第２の通気口１３ｂが炊飯器本体１の側面近傍の底部に設けられているが、第１の通気口１３ａが炊飯器本体１の側面近傍の底部に設けられていても良い。この場合、炊飯器本体１から離れた場所の冷たい空気を第１の通気口１３ａより取り込むことができるため、冷却の効果が高まる。
【００３０】
（実施の形態２）
本発明の第２の実施の形態について図３を参照して説明する。図３は本発明の第２の実施の形態における炊飯器の要部断面図である。なお、実施の形態１と同一構成部位については同一符号を付し、その詳細な説明は省略する。
【００３１】
本発明の実施の形態２の構成は、図３に示すように、第１の通気口１３ａと第２の通気口１３ｂの間に仕切板１４を設ける点で相違する。
【００３２】
以上のように、仕切板１４を設けることにより、温められた空気が第２の通気口１３ｂより炊飯器本体１の外部へ放出されずに再びヒートシンク１２の間を通ることを防ぎ、第２の通気口１３ｂより確実に放出されるため、冷却の効果をさらに高めることが可能となる。
【産業上の利用可能性】
【００３３】
以上のように、本発明の炊飯器は、冷却用のファンを設けなくても電子部品の冷却を行うことができるので、部品点数の低減およびコストダウンを図ることができ、しかも炊飯中に冷却用ファンを運転させないため、静音化を図ることができるので、加熱調理器の用途に有効である。
【符号の説明】
【００３４】
１  炊飯器本体
２  脚部
３  鍋
６、３６  加熱コイル
９  制御回路
１０、３５  高周波回路
１１  操作部
１２  ヒートシンク
１３ａ  第１の通気口
１３ｂ  第２の通気口
１４  仕切板
【図１】
2013230169.tif 000003
【図２】
2013230169.tif 000004
【図３】
2013230169.tif 000005
【図４】
2013230169.tif 000006
【図５】
2013230169.tif 000007